(57)【要約】【課題】合成ウエイトの急変を防止できる合成送信装置および無線基地局を提供する。【解決手段】無線端末との間で無線通信するための無線基地局を構成するセクタユニット１１において、送信信号を複数に分岐させた分岐信号に対し合成ウエイトＷａ，Ｗｂを乗算器２３ａ，２３ｂで乗算し、乗算器２３ａ，２３ｂから出力された信号をアンテナ２５ａ，２５ｂから無線送信し、空中で生ずる合成無線信号が所望の指向性を有するように合成ウエイトＷａ，Ｗｂを合成ウエイト生成部３０で生成し、タイミング生成部３２により合成ウエイトＷａ，Ｗｂをタイミング可変に乗算器２３ａ，２３ｂへ出力する。このように、合成ウエイトの反映タイミングを可変にすることによって、合成ウエイトの急変を防止できる。【選択図】　　　　　図２
2004088628.tif 000002
【特許請求の範囲】
【請求項１】
送信信号を複数に分岐させた分岐信号に対し、この分岐信号毎に定められた合成ウエイトを乗算する合成ウエイト乗算部と、
前記合成ウエイト乗算部から出力された信号をそれぞれ無線送信するための複数のアンテナと、
前記アンテナからそれぞれ無線送信された信号が空中で合成されることによって生ずる合成無線信号が所望の指向性を有するように、前記合成ウエイト乗算部で使用する合成ウエイトを生成する合成ウエイト生成部と、
前記合成ウエイト生成部で生成された合成ウエイトをタイミング可変に合成ウエイト乗算部へ出力するためのタイミング生成部と、を備えたことを特徴とする合成送信装置。
【請求項２】
無線端末との間で無線通信するための無線基地局であって、
送信信号を複数に分岐させた分岐信号に対し、この分岐信号毎に定められた合成ウエイトを乗算する合成ウエイト乗算部と、
前記合成ウエイト乗算部から出力された信号を前記無線端末に向けてそれぞれ無線送信するための複数のアンテナと、
前記アンテナからそれぞれ無線送信された信号が空中で合成されることによって生ずる合成無線信号が所望の指向性を有するように、前記合成ウエイト乗算部で使用する合成ウエイトを生成する合成ウエイト生成部と、
前記合成ウエイト生成部で生成された合成ウエイトをタイミング可変に合成ウエイト乗算部へ出力するためのタイミング生成部と、を備えたことを特徴とする無線基地局。
【請求項３】
前記タイミング生成部が、無線端末との間で無線信号が伝搬されるための伝搬時間に基づいて、前記タイミングを生成することを特徴とする請求項２記載の無線基地局。
【請求項４】
前記合成ウエイト乗算部、複数のアンテナ、合成ウエイト生成部およびタイミング生成部から成るセクタユニットを複数備えた無線基地局であって、
前記各セクタユニットのタイミング生成部が、同一タイミングを生成することを特徴とする請求項２記載の無線基地局。
【発明の詳細な説明】
【０００１】
【発明の属する技術分野】
本発明は、複数のアンテナを用いて指向性を有する無線信号を送信する合成送信装置および無線基地局に関するものである。
【０００２】
【従来の技術】
図５は、従来の無線基地局の構成を示す図である。この無線基地局は、たとえば、３ＧＰＰ　ＴＳ　２５．２１４　ｖ３．９．０（３ｒｄ　Ｇｅｎｅｒａｔｉｏｎ　Ｐａｒｔｎｅｒｓｈｉｐ　Ｐｒｏｊｅｃｔ　Ｔｅｃｈｎｉｃａｌ　Ｓｐｅｃｉｆｉｃａｔｉｏｎ　２５．２１４　ｖ３．９．０）に記載されるＷ−ＣＤＭＡ（Ｗｉｄｅｂａｎｄ−Ｃｏｄｅ　Ｄｉｖｉｓｉｏｎ　Ｍｕｌｔｉｐｌｅ　Ａｃｃｅｓｓ）基地局であり、複数のアンテナを用いて指向性を有する無線信号を送信する、いわゆる、送信ダイバシティ機能を有するものである。
【０００３】
図５の無線基地局１００は、個別物理チャネル（ＤＰＣＨ；　Ｄｅｄｉｃａｔｅｄ　Ｐｈｙｓｉｃａｌ
Ｃｈａｎｎｅｌ）生成部１、拡散部２、乗算器３ａ，３ｂ、共通パイロットチャネル（ＣＰＩＣＨ；　Ｃｏｍｍｏｎ　Ｐｉｌｏｔ　Ｃｈａｎｎｅｌ）多重化部４ａ，４ｂ、アンテナ５ａ，５ｂ、パスサーチ部６、逆拡散部７ａ，７ｂ、レイク（Ｒａｋｅ）合成部８、フィードバック情報（Ｆｅｅｄｂａｃｋ　Ｉｎｆｏｒｍａｔｉｏｎ；　ＦＢＩ）抽出部９および合成ウエイト生成部１０１を備えている。
【０００４】
次に、無線基地局の送信ダイバシティ動作を説明する。
【０００５】
無線基地局１００と無線端末（Ｕｓｅｒ　Ｅｑｕｉｐｍｅｎｔ；　ＵＥ、図示なし）との間で通信が開始されると、無線基地局１００では、２つのアンテナ５ａ，５ｂから共通パイロットチャネル（ＣＰＩＣＨ；　Ｃｏｍｍｏｎ　Ｐｉｌｏｔ　Ｃｈａｎｎｅｌ）の信号が送信され、これらの信号が無線端末で受信される。無線端末では、無線基地局１００から送信された共通パイロットチャネルの信号を逆拡散し、この逆拡散によって得られたデータを基に、無線基地局１００の２つのアンテナ５ａ，５ｂの位相差を検出する。検出された位相差は、フィードバック情報として上り方向の個別物理チャネルを使って無線基地局１００へ送信される。
【０００６】
無線端末から送信された上り方向信号は、アンテナ５ａ，５ｂで受信され、逆拡散部７ａ，７ｂで逆拡散される。フィードバック情報抽出部９において、逆拡散処理後の受信信号から、フィードバック情報が抽出され、合成ウエイト生成部１０１に通知される。合成ウエイト生成部１０１では、フィードバック情報を基に、無線基地局の２つのアンテナ５ａ，５ｂから送信された信号が、無線端末において同位相で受信されるように、合成ウエイトＷ１，Ｗ２が生成される。生成された合成ウエイトＷ１，Ｗ２は、乗算器３ａ，３ｂにそれぞれ通知される。
【０００７】
一方、上位レイヤ２００から送られてきた音声・文字情報・画像等のデータが、個別物理データチャネル（ＤＰＤＣＨ；　Ｄｅｄｉｃａｔｅｄ　Ｐｈｙｓｉｃａｌ　Ｄａｔａ　Ｃｈａｎｎｅｌ）を用いて個別物理チャネル生成部１に入力されるとともに、無線端末に伝達すべき制御信号が、個別物理制御チャネル（ＤＰＣＣＨ；　Ｄｅｄｉｃａｔｅｄ　Ｐｈｙｓｉｃａｌ　Ｃｏｎｔｒｏｌ　Ｃｈａｎｎｅｌ）を用いて個別物理チャネル生成部１に入力される。個別物理チャネル生成部１では、これらの個別物理データチャネルの信号と個別物理制御チャネルの信号とが多重化されて、個別物理チャネルの信号が生成される。生成された個別物理チャネルの信号は、拡散部２にて拡散処理を受けた後、分岐されそれぞれ乗算器３ａ，３ｂに入力される。乗算器３ａ，３ｂでは、分岐信号に、合成ウエイト生成部１０１で生成された合成ウエイトＷ１，Ｗ２がそれぞれ乗算される。合成ウエイトが乗算された各信号には、共通パイロットチャネル多重化部４ａ，４ｂにおいて、共通パイロットチャネルＣＰＩＣＨａ，　ＣＰＩＣＨｂの信号がそれぞれ多重化される。共通パイロットチャネル多重化部４ａ，４ｂから出力された信号は、それぞれアンテナ５ａ，５ｂから無線端末に向けて空中に無線送信される。
【０００８】
このように、アンテナ５ａ，５ｂにそれぞれ対応する合成ウエイトを調整することにより、両アンテナから無線送信される信号の間に位相差を設けて、無線信号に所望の指向性を持たせている。
【０００９】
この他、送信電力レベルを調整する技術に関する特開平１１−３０８１６５号公報が先行技術として挙げられる。
【００１０】
【発明が解決しようとする課題】
従来の無線基地局では、生成された合成ウエイトの反映タイミングについて、特に調整機能があるわけではなく固定のタイミングで合成ウエイトを反映させていたため、次に図６（ａ）〜図６（ｃ）を用いて説明するように、無線端末の移動方向によっては不具合が発生する場合がある。
【００１１】
図６（ａ）〜図６（ｃ）は、無線端末の移動方向を示す図である。図６（ａ）に示すように、無線基地局を中心とする円形の通信エリアにおいて、無線端末が円周方向に移動する場合、無線信号の伝搬方向は逐次変化するが、無線端末と無線基地局との間で伝搬する無線信号の伝搬時間は一定である。図６（ａ）の場合、上り信号タイムスロットと下り信号タイムスロットとの関係、すなわち両者の時間ずれは一定であるため、生成された合成ウエイトの反映タイミングが固定であることによる不具合は発生しない。
【００１２】
また、図６（ｂ）に示すように、無線端末が通信エリアの半径方向に移動する場合、無線信号の伝搬時間は逐次変化するが、無線信号の伝搬方向は一定である。図６（ｂ）の場合、合成ウエイトが一定であるため、生成された合成ウエイトの反映タイミングが固定であることによる不具合は発生しない。
【００１３】
これに対し、図６（ｃ）に示すように、無線端末が通信エリアの円周方向にも半径方向にも移動する場合、無線信号の伝搬方向も伝搬時間も逐次変化する。したがって、図６（ｃ）の場合、上り信号タイムスロットと下り信号タイムスロットとの時間ずれとともに合成ウエイトが変化するため、無線端末の移動に伴い合成ウエイトが急激に変化することによる不具合が発生し得る。
【００１４】
図７は、上り信号タイムスロットと下り信号タイムスロットとの時間ずれを示す図である。合成ウエイトは、特定の上り信号タイムスロットからフィードバック情報を抽出した後に、下り信号タイムスロットに反映される。更に詳細には、フィードバック情報が抽出されたタイミングの直後に送信される下り信号タイムスロット、或いはその次のスロットに対し、そのフィードバック情報から得られた合成ウエイトが反映される。したがって、無線端末が半径方向に移動する場合、下り信号タイムスロットの送出に対し、上り信号タイムスロットの到達が早くなったり遅くなったりする。これに伴い、フィードバック情報の抽出タイミングが、１つ前の下り信号タイムスロットに移ったり、１つ後ろの下り信号タイムスロットに移ったりすることがあり得る。
【００１５】
このように、従来の無線基地局では、固定タイミングで合成ウエイトを反映していたため、無線端末の移動方向によっては、合成ウエイトが急変し得る不具合があった。
【００１６】
本発明の目的は、合成ウエイトの急変を防止する合成送信装置および無線基地局を提供することである。
【００１７】
【課題を解決するための手段】
本発明の合成送信装置は、送信信号を複数に分岐させた分岐信号に対し、この分岐信号毎に定められた合成ウエイトを乗算する合成ウエイト乗算部と、前記合成ウエイト乗算部から出力された信号をそれぞれ無線送信するための複数のアンテナと、前記アンテナからそれぞれ無線送信された信号が空中で合成されることによって生ずる合成無線信号が所望の指向性を有するように、前記合成ウエイト乗算部で使用する合成ウエイトを生成する合成ウエイト生成部と、前記合成ウエイト生成部で生成された合成ウエイトをタイミング可変に合成ウエイト乗算部へ出力するためのタイミング生成部と、を備えたことを特徴とするものである。
【００１８】
また、本発明の無線基地局は、無線端末との間で無線通信するための無線基地局であって、送信信号を複数に分岐させた分岐信号に対し、この分岐信号毎に定められた合成ウエイトを乗算する合成ウエイト乗算部と、前記合成ウエイト乗算部から出力された信号を前記無線端末に向けてそれぞれ無線送信するための複数のアンテナと、前記アンテナからそれぞれ無線送信された信号が空中で合成されることによって生ずる合成無線信号が所望の指向性を有するように、前記合成ウエイト乗算部で使用する合成ウエイトを生成する合成ウエイト生成部と、前記合成ウエイト生成部で生成された合成ウエイトをタイミング可変に合成ウエイト乗算部へ出力するためのタイミング生成部と、を備えたことを特徴とするものである。
【００１９】
また、本発明の無線基地局は、前記タイミング生成部が、無線端末との間で無線信号が伝搬されるための伝搬時間に基づいて、前記タイミングを生成することを特徴とするものである。
【００２０】
また、本発明の無線基地局は、前記合成ウエイト乗算部、複数のアンテナ、合成ウエイト生成部およびタイミング生成部から成るセクタユニットを複数備えたものであって、前記各セクタユニットのタイミング生成部が、同一タイミングを生成することを特徴とするものである。
【００２１】
【発明の実施の形態】
図１は、本発明の実施の形態である無線基地局の概要を示す図である。無線基地局１０は、セクタユニット１１〜１６およびパス位置監視部１７を備えている。セクタユニット１１〜１６は、６０度毎の方位角エリアに存在する無線端末（Ｕｓｅｒ　Ｅｑｕｉｐｍｅｎｔ；　ＵＥ、図示なし）との通信を担当する通信機ユニットである。パス位置監視部１７は、各セクタユニット１１〜１６で検出された全てのパスの監視を行っている。具体的には、パスの相関電力値、パスの位置（遅延時間）などの情報を各セクタユニット１１〜１６から収集し、全てのセクタユニット１１〜１６に対し、合成ウエイトの反映タイミングとして同一のタイミングを指示する。
【００２２】
図２は、図１のセクタユニット１１の詳細を示す図である。セクタユニット１１は、図５の無線基地局１００にスイッチ３１およびタイミング生成部３２を追加したものである。なお、他のセクタユニット１２〜１６も図２と同一構成をなす。
【００２３】
図２のセクタユニット１１は、複数のアンテナを用いて無線端末に向けて指向性を有する無線信号を送信する機能、いわゆる、送信ダイバシティ機能を有するものであり、個別物理チャネル（ＤＰＣＨ；　Ｄｅｄｉｃａｔｅｄ　Ｐｈｙｓｉｃａｌ　Ｃｈａｎｎｅｌ）生成部２１、拡散部２２、乗算器２３ａ，２３ｂ、共通パイロットチャネル（ＣＰＩＣＨ；　ＣｏｍｍｏｎＰｉｌｏｔ　Ｃｈａｎｎｅｌ）多重化部２４ａ，２４ｂ、アンテナ２５ａ，２５ｂ、パスサーチ部２６、逆拡散部２７ａ，２７ｂ、レイク（Ｒａｋｅ）合成部２８、フィードバック情報（Ｆｅｅｄｂａｃｋ　Ｉｎｆｏｒｍａｔｉｏｎ；　ＦＢＩ）抽出部２９、合成ウエイト生成部３０、スイッチ３１およびタイミング生成部３２を備えている。
【００２４】
個別チャネル生成部２１は、無線端末に音声・文字情報・画像等のデータを送信するための個別物理データチャネル（ＤＰＤＣＨ；Ｄｅｄｉｃａｔｅｄ　Ｐｈｙｓｉｃａｌ　Ｄａｔａ　Ｃｈａｎｎｅｌ）の信号と、制御信号を送信するための個別物理制御チャネル（ＤＰＣＣＨ；　ＤｅｄｉｃａｔｅｄＰｈｙｓｉｃａｌ　Ｃｏｎｔｒｏｌ　Ｃｈａｎｎｅｌ）の信号とを多重化させて個別チャネルの信号を生成し、誤り訂正用符号化を行う。拡散部２２は、拡散符号を生成し個別チャネル生成部２１から出力された信号に対し拡散処理を施す。乗算器２３ａ，２３ｂは、アンテナ２５ａ，２５ｂに対応した合成ウエイトＷａ，Ｗｂを、拡散部２２から出力された信号にそれぞれ乗算する。合成ウエイトＷａ，Ｗｂは、アンテナ２５ａ，２５ｂから送信される無線信号の位相差を調整するためのものである。共通パイロットチャネル（ＣＰＩＣＨ；　Ｃｏｍｍｏｎ　Ｐｉｌｏｔ　Ｃｈａｎｎｅｌ）多重化部２４ａ，２４ｂは、共通パイロットチャネルの信号を乗算器２３ａ，２３ｂから出力された信号に多重化する。共通パイロットチャネルは、無線端末に通知するためのフィードバック情報を含むパイロット信号を伝送するためのチャネルである。
【００２５】
アンテナ２５ａ，２５ｂは、無線端末から到来した無線信号を受信するとともに、無線端末に向けて無線信号を送信するためのアンテナである。パスサーチ部２６は、無線端末より受信した上り方向信号に対して、同期補足ならびに同期追従を行い無線信号の受信パスを探索する。逆拡散部２７ａ，２７ｂは、無線端末より受信した上り方向信号に対し逆拡散処理を施す。レイク（Ｒａｋｅ）合成部２８は、受信特性を向上させるために、複数存在する受信パス（マルチパス）を合成する。フィードバック情報抽出部２９は、無線端末より受信した上り方向信号からフィードバック情報を抽出する。合成ウエイト生成部３０は、合成ウエイトＷａ，Ｗｂを生成し、生成した合成ウエイトＷａ，Ｗｂを乗算器２３ａ，２３ｂに通知する。スイッチ３１は、合成ウエイト生成部３０に入力される反映タイミング信号として、上位レイヤ４０およびタイミング生成部３２のいずれか一方からの信号を選択する。タイミング生成部３２は、図１のパス位置監視部１７から入力された指示信号に基づき、合成ウエイトを反映させるためのタイミングを生成する。
【００２６】
次に、セクタユニット１１の送信ダイバシティ動作を説明する。
【００２７】
セクタユニット１１と無線端末との間で通信が開始されると、セクタユニット１１では、２つのアンテナ２５ａ，２５ｂから共通パイロットチャネルの信号が送信され、これらの信号が無線端末で受信される。無線端末では、セクタユニット１１から送信された共通パイロットチャネルの信号が逆拡散されて得られたデータを基に、セクタユニット１１の２つのアンテナ２５ａ，２５ｂの位相差が検出される。検出された位相差は、フィードバック情報として上り方向の個別物理チャネルを使ってセクタユニットへ送信される。
【００２８】
無線端末から送信された上り方向信号は、アンテナ２５ａ，２５ｂで受信され、逆拡散部２７ａ，２７ｂで逆拡散される。フィードバック情報抽出部２９において、逆拡散処理後の受信信号から、フィードバック情報が抽出され、合成ウエイト生成部３０に通知される。スイッチ３１は初期的には、上位レイヤ４０からの信号を合成ウエイト生成部３０に入力する接続状態であるが、通信が開始された後は、タイミング生成部３２からの信号を合成ウエイト生成部３０に入力するように接続状態が切換えられる。合成ウエイト生成部３０では、フィードバック情報を基に、無線基地局の２つのアンテナ２５ａ，２５ｂから送信された信号が、無線端末において同位相で受信されるように、合成ウエイトＷａ，Ｗｂが生成される。生成された合成ウエイトＷａ，Ｗｂは、乗算器２３ａ，２３ｂにそれぞれ出力される。出力されるタイミングは、タイミング生成部３２で生成されたタイミングに従う。
【００２９】
一方、上位レイヤ４０から送られてきた音声・文字情報・画像等のデータが、個別物理データチャネルを用いて個別物理チャネル生成部２１に入力されるとともに、無線端末に伝達すべき制御信号が、個別物理制御チャネルを用いて個別物理チャネル生成部２１に入力される。個別物理チャネル生成部２１では、これらの個別物理データチャネルの信号と個別物理制御チャネルの信号とが多重化されて、個別物理チャネルの信号が生成される。生成された個別物理チャネルの信号は、拡散部２２にて拡散処理を受けた後、分岐されそれぞれ乗算器２３ａ，２３ｂに入力される。乗算器２３ａ，２３ｂでは、分岐信号に、合成ウエイト生成部３０で生成された合成ウエイトＷａ，Ｗｂがそれぞれ乗算される。合成ウエイトが乗算された各信号には、共通パイロットチャネル多重化部２４ａ，２４ｂにおいて、共通パイロットチャネルＣＰＩＣＨａ，　ＣＰＩＣＨｂの信号がそれぞれ多重化される。共通パイロットチャネルＣＰＩＣＨａ，　ＣＰＩＣＨｂの信号は、アンテナ２５ａ，２５ｂにそれぞれ対応した信号であり、アンテナ２５ａとアンテナ２５ｂとを識別可能にするために処理された信号である。共通パイロットチャネル多重化部２４ａ，２４ｂから出力された信号は、それぞれアンテナ２５ａ，２５ｂから無線端末に向けて空中に無線送信される。
【００３０】
図３は、反映タイミングの決定方法を説明するための図である。図３では、伝搬遅延量（伝搬時間）に対する各パスの電力レベルを示しており、複数のパスが検出された状態を例示している。ピーク値Ｐ１，Ｐ２，Ｐ３，Ｐ４は、それぞれ第１〜第４パスの電力値を示しており、大小関係はＰ１＞Ｐ２＞Ｐ３＞Ｐ４である。また、伝搬遅延量の大小関係は、第１パス＜第２パス＜第３パス＜第４パスとなっている。
【００３１】
反映タイミングは、検出されたパスのうち最も相関電力値が高いパスに対応する伝搬遅延量を基にして決定される。ただし、ピーク値が所定の閾値Ｐｔｈを超えていることが条件であり、いずれのパスに対応するピーク値も閾値Ｐｔｈを超えていない場合は、反映タイミングの更新は行わない。図３では、ピーク値Ｐ１〜Ｐ３が閾値Ｐｔｈを超えており、このうち第１パスに対応したピーク値Ｐ１が最大であるため、第１パスが対象パスとして決定される。
【００３２】
対象パスが決定されると、そのパスの伝搬遅延量に基づいて、反映タイミングが決定される。具体的には、伝搬遅延量が所定の閾値Ｔｔｈ未満ならば、フィードバック情報が抽出されたタイミングの直後の下り信号タイムスロットを反映タイミングとする（１スロット遅延、図７参照）。一方、伝搬遅延量が所定の閾値Ｔｔｈ以上ならば、フィードバック情報が抽出されたタイミングの直後の下り信号タイムスロットの次のスロットを反映タイミングとする（２スロット遅延、図７参照）。なお、閾値Ｔｔｈは、フィードバック情報の抽出タイミングが下り信号タイムスロットから次のスロット、または前のスロットに移る時点に一致するように選択することが望ましい。
【００３３】
図４は、反映タイミングの決定方法アルゴリズムを示すフローチャートである。送受信動作が開始されると、まずステップＳＴ１において、上位レイヤ４０から送られてきた指示信号に基づき、タイミング生成部３２にて生成された反映タイミングを初期タイミングとする。また、タイミング生成部３２は、初期タイミングを内部に記憶しておく。なお、初期タイミングが更新された場合は、順次新たな反映タイミングが記憶されることになる。次にステップＳＴ２において、無線端末から送信された上り信号に対し同期補足もしくは同期追尾の処理が行われ、ピーク値が閾値Ｐｔｈ以上である上りパスが検出される。次にステップＳＴ３において、検出済の上りパス数がゼロであるか否かが判定される。検出済パス数がゼロである（Ｙｅｓ）場合、ステップＳＴ１に戻りパスが検出されるまで、ステップＳＴ１〜ステップＳＴ３の処理を繰り返す。一方、検出済パス数がゼロでない（Ｎｏ）場合、次のステップＳＴ４に進み、最大相関電力値を持つパスの伝搬遅延量を導出する。次にステップＳＴ５において、最大相関電力値を持つパスの伝搬遅延量に基づいて、反映タイミングを導出する。次にステップＳＴ６において、ステップＳＴ５の反映タイミングと記憶している反映タイミングとを比較する。同一である場合は特別な処理無しでステップＳＴ２に戻り、同一でない場合は次のステップＳＴ７にて反映タイミングを変更してステップＳＴ２に戻る。以後、ステップＳＴ２〜ＳＴ７の処理を繰り返す。
【００３４】
このように、本発明の実施の形態によれば、合成ウエイトの反映タイミングを可変にすることにより、適切なタイミングで合成ウエイトを反映させることができ、合成ウエイトの急変などの問題を回避できる。
【００３５】
また、反映タイミングを伝搬時間に応じて変化させることにより、更に適切なタイミングで合成ウエイト反映させることができる。
【００３６】
特に、閾値Ｔｔｈを、フィードバック情報の抽出タイミングが下り信号タイムスロットから次のスロット、または前のスロットに移る時点に一致するように選択することにより、合成ウエイトの急変を確実に回避できる。
【００３７】
また、各セクタユニットにおける反映タイミングを同一にすることにより、無線端末での受信特性を向上することができる。
【００３８】
【発明の効果】
以上詳説したように、本発明の合成送信装置および無線基地局では、合成ウエイト生成部で生成された合成ウエイトをタイミング可変に合成ウエイト乗算部へ出力するので、適切なタイミングで合成ウエイトを反映させることができ、合成ウエイトの急変などの問題を回避できる。
【００３９】
また、本発明の無線基地局では、無線端末との間で無線信号が伝搬されるための伝搬時間に基づいて、タイミング生成部がタイミングを生成するので、更に適切なタイミングで合成ウエイトを反映させることができる。
【００４０】
また、本発明の無線基地局では、各セクタユニットのタイミング生成部が、同一タイミングを生成するので、無線端末での受信特性を向上することができる。
【図面の簡単な説明】
【図１】本発明の実施の形態である無線基地局の概要を示す図である。
【図２】図１のセクタユニット１１の詳細を示す図である。
【図３】反映タイミングの決定方法を説明するための図である。
【図４】反映タイミングの決定方法アルゴリズムを示すフローチャートである。
【図５】従来の無線基地局の構成を示す図である。
【図６】無線端末の移動方向を示す図である。
【図７】上り信号タイムスロットと下り信号タイムスロットとの時間ずれを示す図である。
【符号の説明】
１０　無線基地局
１１〜１６　セクタユニット
１７　パス位置監視部
２１　個別物理チャネル（ＤＰＣＨ）生成部
２２　拡散部
２３ａ，２３ｂ　乗算器
２４ａ，２４ｂ　共通パイロットチャネル（ＣＰＩＣＨ）多重化部
２５ａ，２５ｂ　アンテナ
２６　パスサーチ部
２７ａ，２７ｂ　逆拡散部
２８　レイク（Ｒａｋｅ）合成部
２９　フィードバック情報（ＦＢＩ）抽出部
３０　合成ウエイト生成部
３１　スイッチ
３２　タイミング生成部
４０　上位レイヤ
【図１】
2004088628.tif 000003
【図２】
2004088628.tif 000004
【図３】
2004088628.tif 000005
【図４】
2004088628.tif 000006
【図５】
2004088628.tif 000007
【図６】
2004088628.tif 000008
【図７】
2004088628.tif 000009